(57)【特許請求の範囲】
【請求項１】
撮像部と、前記撮像部により撮影された画像を表示する表示部を備える端末装置であって、
前記撮像部により当該端末装置の撮影者自身を撮影し、前記表示部に表示しているか否かを判別する撮影判別手段と、
前記撮影判別手段により当該端末装置の撮影者自身を撮影し前記表示部に表示していると判別された場合に、この撮影者自身を撮影し表示している表示部が周囲から覗かれる可能性が高いか否かを判別する覗き見判別手段と、
前記覗き見判別手段により当該端末装置の撮影者自身を撮影し表示している表示部が周囲から覗かれる可能性が高いと判別された場合に、前記表示部の表示を制限する制御を行う表示制御手段と、
を備えることを特徴とする端末装置。
【請求項２】
前記覗き見判別手段が前記撮影者自身を撮影し表示している表示部が周囲から覗かれる可能性が低いと判別する条件は、前記表示部が前記撮像部の備える撮影レンズと同方向を向いている場合であることを特徴とする請求項１に記載の端末装置。
【請求項３】
前記覗き見判別手段が前記撮影者自身を撮影し表示している表示部が周囲から覗かれる可能性がないと判別する条件は、前記表示部が前記撮影者と同方向を向いている場合であることを特徴とする請求項１に記載の端末装置。
【請求項４】
前記覗き見判別手段が前記撮影者自身を撮影し表示している表示部が周囲から覗かれる可能性が低いと判別する条件は、当該端末装置と前記撮影者が所定の距離以上離れている場合であることを特徴とする請求項１に記載の端末装置。
【請求項５】
撮影された人物の顔を認識する顔認識手段を更に備え、
前記覗き見判別手段が前記撮影者自身を撮影し表示している表示部が周囲から覗かれる可能性が低いと判別する条件は、前記顔認識手段により認識され前記表示部に表示されている前記撮影者の顔が所定の大きさよりも小さい場合であることを特徴とする請求項１に記載の端末装置。
【請求項６】
前記撮影者の視線を検出する視線検出手段を更に備え、
前記覗き見判別手段が前記撮影者自身を撮影し表示している表示部が周囲から覗かれる可能性が低いと判別する条件は、前記視線検出手段により前記撮影者の視線が前記撮像部の備える撮影レンズを向いていないことが検出された場合であることを特徴とする請求項１に記載の端末装置。
【請求項７】
当該端末装置の保持者を判別する保持者判別手段を更に備え、
前記覗き見判別手段が前記撮影者自身を撮影し表示している表示部が周囲から覗かれる可能性が低いと判別する条件は、前記保持者判別手段により当該端末装置が前記撮影者以外により保持されていると判別された場合であることを特徴とする請求項１に記載の端末装置。
【請求項８】
当該端末装置の周囲に人がいるか否かを判別する周囲判別手段を更に備え、
前記覗き見判別手段が前記撮影者自身を撮影し表示している表示部が周囲から覗かれる可能性が低いと判別する条件は、前記周囲判別手段により当該端末装置の周囲に人がいないと判別された場合であることを特徴とする請求項１に記載の端末装置。
【請求項９】
撮影目的に応じて適切な撮影条件を設定する複数の撮影モードを更に備え、
前記複数の撮影モードのうち当該端末装置の撮影者自身を撮影する撮影モードが選択されている場合に、前記撮影判別手段は当該端末装置の撮影者自身を撮影し、当該端末装置の備える表示部に表示していると判別することを特徴とする請求項１乃至８に記載の端末装置。
【請求項１０】
前記顔認識手段により認識された人物の顔が当該端末装置に登録された画像と類似する場合に、前記撮影判別手段は当該端末装置の撮影者自身を撮影し、当該端末装置の備える表示部に表示していると判別することを特徴とする請求項５に記載の端末装置。
【請求項１１】
前記表示制御手段の行う前記表示部の表示の制限は、前記表示部の表示をオフすることを特徴とする請求項１乃至１０に記載の端末装置。
【請求項１２】
前記表示制御手段の行う前記表示部の表示の制限は、前記表示部に表示されている前記撮影者を撮影している表示を小さくすることを特徴とする請求項１乃至１０に記載の端末装置。
【請求項１３】
撮像部と、前記撮像部により撮影された画像を表示する表示部を備えるコンピュータに、
前記撮像部により撮影者自身を撮影し、前記表示部に表示しているか否かを判別する機能、
この機能により撮影者自身を撮影し前記表示部に表示していると判別された場合に、この撮影者自身を撮影し表示している表示部が周囲から覗かれる可能性が高いか否かを判別する機能、
この機能により撮影者自身を撮影し表示している表示部が周囲から覗かれる可能性が高いと判別された場合に、前記表示部の表示を制限する制御を行う機能、
を実現させるためのプログラム。
【発明の詳細な説明】
【技術分野】
【０００１】
本発明は、撮影機能を有する端末装置及びプログラムに関する。
【背景技術】
【０００２】
撮影機能を有する端末装置を使用して撮影を行う際に、自分にレンズを向けて自分自身を撮影するいわゆる「自分撮り」と呼ばれる撮影方法があり、自分撮りをよりきれいに撮影できるように、カメラが撮影者の方向に向けられ自分撮りをしていると判別されると自分撮り用の設定に制御する技術が開示されている。（特許文献１参照）。
【先行技術文献】
【特許文献】
【０００３】
【特許文献１】特開２００６−１０９３５２号公報
【発明の概要】
【発明が解決しようとする課題】
【０００４】
しかしながら、自分撮りはしたいが、自分撮りをしていることが周囲の他人に分かってしまうと恥ずかしいものであるため、その恥ずかしさを緩和したいという問題があった。
【０００５】
本発明の課題は、自分撮りをしていることが周囲の他人に気づかれにくくすることである。
【課題を解決するための手段】
【０００６】
上述した課題を解決するために請求項１記載の発明は、
撮像部と、前記撮像部により撮影された画像を表示する表示部を備える端末装置であって、
前記撮像部により当該端末装置の撮影者自身を撮影し、前記表示部に表示しているか否かを判別する撮影判別手段と、
前記撮影判別手段により当該端末装置の撮影者自身を撮影し前記表示部に表示していると判別された場合に、この撮影者自身を撮影し表示している表示部が周囲から覗かれる可能性が高いか否かを判別する覗き見判別手段と、
前記覗き見判別手段により当該端末装置の撮影者自身を撮影し表示している表示部が周囲から覗かれる可能性が高いと判別された場合に、前記表示部の表示を制限する制御を行う表示制御手段と、
を備えたことを特徴とする。
【０００７】
請求項１に従属する発明として、
前記覗き見判別手段が前記撮影者自身を撮影し表示している表示部が周囲から覗かれる可能性が低いと判別する条件は、前記表示部が前記撮像部の備える撮影レンズと同方向を向いている場合であることを特徴とする、請求項２記載の発明であってもよい。
【０００８】
請求項１に従属する発明として、
前記覗き見判別手段が前記撮影者自身を撮影し表示している表示部が周囲から覗かれる可能性が低いと判別する条件は、前記表示部が前記撮影者と同方向を向いている場合であることを特徴とする、請求項３記載の発明であってもよい。
【０００９】
請求項１に従属する発明として、
前記条件判別手段が前記撮影者自身を撮影し表示している表示部が周囲から覗かれる可能性が低いと判別する条件は、当該端末装置と前記撮影者が所定の距離以上離れている場合であることを特徴とする、請求項４記載の発明であってもよい。
【００１０】
請求項１に従属する発明として、
撮影された人物の顔を認識する顔認識手段を更に備え、
前記覗き見判別手段が前記撮影者自身を撮影し表示している表示部が周囲から覗かれる可能性が低いと判別する条件は、前記顔認識手段により認識され前記表示部に表示されている前記撮影者の顔が所定の大きさよりも小さい場合であることを特徴とする、請求項５記載の発明であってもよい。
【００１１】
請求項１に従属する発明として、
前記撮影者の視線を検出する視線検出手段を更に備え、
前記覗き見判別手段が前記撮影者自身を撮影し表示している表示部が周囲から覗かれる可能性が低いと判別する条件は、前記視線検出手段により前記撮影者の視線が前記撮像部の備える撮影レンズを向いていないことが検出された場合であることを特徴とする、請求項６記載の発明であってもよい。
【００１２】
請求項１に従属する発明として、
当該端末装置の保持者を判別する保持者判別手段を更に備え、
前記覗き見判別手段が前記撮影者自身を撮影し表示している表示部が周囲から覗かれる可能性が低いと判別する条件は、前記保持者判別手段により当該端末装置が前記撮影者以外により保持されていると判別された場合であることを特徴とする、請求項７記載の発明であってもよい。
【００１３】
請求項１に従属する発明として、
当該端末装置の周囲に人がいるか否かを判別する周囲判別手段を更に備え、
前記覗き見判別手段が前記撮影者自身を撮影し表示している表示部が周囲から覗かれる可能性が低いと判別する条件は、前記周囲判別手段により当該端末装置の周囲に人がいないと判別された場合であることを特徴とする、請求項８記載の発明であってもよい。
【００１４】
請求項１乃至８に従属する発明として、
撮影目的に応じて適切な撮影条件を設定する複数の撮影モードを更に備え、
前記複数の撮影モードのうち当該端末装置の撮影者自身を撮影する撮影モードが選択されている場合に、前記撮影判別手段は当該端末装置の撮影者自身を撮影し、当該端末装置の備える表示部に表示していると判別することを特徴とする、請求項９記載の発明であってもよい。
【００１５】
請求項５に従属する発明として、
前記顔認識手段により認識された人物の顔が当該端末装置に登録された画像と類似する場合に、前記撮影判別手段は当該端末装置の撮影者自身を撮影し、当該端末装置の備える表示部に表示していると判別することを特徴とする、請求項１０記載の発明であってもよい。
【００１６】
請求項１乃至１０に従属する発明として、
前記表示制御手段の行う前記表示部の表示の制限は、前記表示部の表示をオフすることを特徴とする、請求項１１記載の発明であってもよい。
【００１７】
請求項１乃至１０に従属する発明として、
前記表示制御手段の行う前記表示部の表示の制限は、前記表示部に表示されている前記撮影者を撮影している表示を小さくすることを特徴とする、請求項１２記載の発明であってもよい。
【００１８】
また、上述した課題を解決するために請求項１３記載の発明は、
撮像部と、前記撮像部により撮影された画像を表示する表示部を備えるコンピュータに、
前記撮像部により撮影者自身を撮影し、前記表示部に表示しているか否かを判別する機能、
この機能により撮影者自身を撮影し前記表示部に表示していると判別された場合に、この撮影者自身を撮影し表示している表示部が周囲から覗かれる可能性が高いか否かを判別する機能、
この機能により撮影者自身を撮影し表示している表示部が周囲から覗かれる可能性が高いと判別された場合に、前記表示部の表示を制限する制御を行う機能、
を実現させるためのプログラム、であることを特徴とする。
【発明の効果】
【００１９】
本発明によれば、自分撮りをしていることが周囲の他人に気づかれにくくすることで、気軽に自分撮りができるようになる。
【図面の簡単な説明】
【００２０】
【図１】端末装置の基本的な構成要素を示したブロック図。
【図２】２つの筐体（操作部筐体、表示部筐体）の向いている方向を示してスタイルを説明するための外観図。
【図３】撮影モードテーブルＳＴを説明するための図。
【図４】判定テーブルＨＴを説明するための図。
【図５】登録画像メモリＧＭを説明するための図。
【図６】登録生体情報メモリＳＭを説明するための図。
【図７】電源投入に応じて実行開始される端末装置の全体動作の概要を示したフローチャート。
【図８】図７に続くフローチャート。
【図９】自分撮り判別処理（Ａ９）を詳述するフローチャート。
【図１０】第１実施形態の変形例を示し、モニタ表示の違いを示した図。
【図１１】第２実施形態における、自分撮り判別処理（Ａ９）を詳述するフローチャート。
【発明を実施するための形態】
【００２１】
（第１実施形態）
図１〜図９を参照して本発明の第１実施形態を説明する。
本実施形態は、端末装置としてカメラ機能付き携帯電話機に適用した場合を例示したもので、図１は、カメラ機能付き携帯電話機の基本的な構成要素を示したブロック図である。
携帯電話機は、例えば、２つの筐体（操作部筐体、表示部筐体）を２軸ヒンジで折り畳み、回動自在に取り付けた折り畳みタイプの携帯電話機で、音声通話機能、テレビ電話機能、電子メール機能、インターネット接続機能（Ｗｅｂアクセス機能）のほか、カメラ機能などを備えている。
【００２２】
制御部１は、二次電池を備えた電源部２からの電力供給によって動作し、記憶部３内の各種のプログラムに応じてこの携帯電話機の全体動作を制御するもので、この制御部１には図示しないＣＰＵ（中央演算処理装置）やメモリなどが設けられている。
記憶部３は、ＲＯＭ、ＲＡＭなどの内部メモリで、図示しないプログラム領域とデータ領域とを有し、この記憶部３内のプログラム領域には、後述する図７〜図９に示す動作手順に応じて本実施形態を実現するためのプログラムが格納されている。また、記憶部３内のデータ領域には、各種のフラグ情報、携帯電話機の動作に必要な各種の情報が記憶されているほか、後述する撮影モードテーブルＳＴ、判定テーブルＨＴ、登録画像メモリＧＭ、登録生体情報メモリＳＭが記憶されている。なお、記憶部３は、例えば、ＳＤカード、ＩＣカードなど、着脱自在な可搬型メモリ（記録メディア）を含む構成であってもよく、あるいは図示しない所定の外部サーバ上に記憶部３を有する構成であってもよい。
【００２３】
表示部４は、例えば、高精細液晶あるいは有機ＥＬを使用し、例えば、待受画像、アイコン、日時情報のほか、テキストデータ、メール、Ｗｅｂページなどを表示するほか、カメラ機能の使用時にはライブビュー画像（モニタ画像）を表示するファインダ画面となる。
操作部５は、ダイヤル入力、文字入力、コマンド入力などを行うもので、この操作部５には、図示しないが、通話用のオフフックキー、オンフックキーのほか、カメラ機能をオン／オフさせるオン／オフキー、シャッタキーなどが設けられている。制御部１は、操作部５からの操作信号に応じた処理として、例えば、発信処理、テレビ電話処理、電子メール受信処理、カメラ処理など、各種の処理を行う。
【００２４】
無線通信部６は、図示しない無線部、ベースバンド部、多重分離部などを備え、例えば、音声通話機能、テレビ電話機能、電子メール機能、インターネット接続機能の動作時に最寄りの基地局との間でデータの送受信を行うもので、通話機能の動作時にはベースバンド部の受信側から信号を取り込んで受信ベースバンド信号に復調して制御部１に与え、制御部１は、電話部７を介して通話用スピーカＳＰから音声出力させ、また、通話用マイクＭＣからの入力音声データを電話部７から取り込み、送信ベースバンド信号に符号化した後、ベースバンド部の送信側に与えてアンテナＡＴから発信出力させる。
【００２５】
第１の撮像部８は、デジタルカメラ機能を構成する構成要素で、静止画撮影のほかに動画撮影も可能なもので、カメラレンズ部８ａ、撮像素子（例えば、ＣＣＤあるいはＣＭＯＳ）８ｂ、画像信号処理部８ｃ、アナログ処理部８ｄ、圧縮伸張部８ｅ、各種センサ部（測距センサ、光量センサなど）８ｆなどを有し、光学ズームを調整制御したり、オートフォーカス時の駆動制御、シャッタ駆動制御、露出、ホワイトバランスなどを制御したり、シャッタ速度（露光時間）を測定したりする。また、第１の撮像部８は、被写体に応じて望遠／広角の切り替えができる２焦点式レンズやズームレンズを備え、焦点距離を可変する画角変更機構を作動させて望遠／広角やズーム撮影を行うようにしている。視線検出部８ｇは、撮像素子８ｂにから撮り込まれた画像から視線の抽出を行うと共に、表示部４を見ているかを検出し、制御部１へ視線情報として渡す。顔認識部８ｈは、撮像素子８ｂにから撮り込まれた画像からユーザの顔面構造を認識して顔情報を取得し、制御部１へ顔情報として渡す。
【００２６】
スタイル検出部９は、機器本体を構成する可動自在な２つの筐体の位置関係に応じて変化する機器本体の形態（スタイル）を検出するもので、図１では図示省略したが、２つの磁気センサ（ホール素子）及び磁石と、地磁気センサ（電子コンパス）とを有する構成となっている。
【００２７】
生体情報取得部１０は、例えば、指紋センサを備えた指紋情報取得部であり、指紋の凹凸に応じた電荷量を電圧値に変換したのち、この電圧値をデジタル画像（指紋画像データ）に変換すると共に、この指紋画像データを読み取り取得して制御部１に与える。ここで、制御部１は、生体情報取得部１０から読み取られた入力指紋情報（入力生体情報）と後述する登録生体情報メモリＳＭに格納されている登録生体情報（登録指紋情報）とを照合し、その結果、これらの類似度が認証基準としての認証レベルに達しているか否かに応じてユーザ認証（指紋認証）を行う。なお、入力生体情報と登録生体情報とを照合する場合に、デジタル画像同士のパターン比較に限らず、指紋画像を解析して指紋特徴データ（指紋中心点、分岐点、端点、三角州など）を得て、それらの特徴同士を照合するようにしてもよい。
【００２８】
第２の撮像部１１は、インカメラと呼ばれる表示部４の近くに設置される主にテレビ電話機能に使用されるデジタルカメラ機能を構成する構成要素で、第１の撮像部８と同等の構成となっているため、説明は省略する。
【００２９】
図２は、２つの筐体の向きによるスタイルの違いを示した外観図である。
２つの筐体、操作部筐体２１、表示部筐体２２は、２軸ヒンジ部２３を介して折り畳み自在（開閉自在）、及び回動自在に連結されている。図２（１）（２）は、２つの筐体２１、２２を開いた状態を示し、（１）は正面、（２）は側面を示している。この状態では表示部４と第１の撮像部８のレンズ部８ａは異なる方向を向いている。
【００３０】
図２（３）（４）は、図２（１）（２）の状態に対して操作部筐体２１を１８０°反転、回動させた状態を示し、（３）は正面、（４）は側面を示している。この状態では表示部４と第１の撮像部のレンズ部８ａは同じ方向を向いている。
図２（５）（６）は、図２（１）（２）と同じ状態で第２の撮像部１１を備え、（５）は正面、（６）は側面を示している。この状態では表示部４と第２の撮影部１１のレンズ部は同じ方向を向いている。
【００３１】
図３は、撮影モードテーブルＳＴを説明するための図である。
撮影モードテーブルＳＴは、撮影する目的に応じて、露出等の撮影条件を自動的に設定するためのテーブルで、“０”の場合は撮影条件の自動設定をオフし、“１”の場合は風景、“２”の場合は夜景、“３”の場合は人物、“４”の場合はパーティ、“５”の場合は自分撮り、“６”の場合は、花を撮影する目的として、撮影条件を自動的に設定する。
【００３２】
図４は、判定テーブルＨＴを説明するための図である。
判定テーブルＨＴは自分撮りをしていると判別された場合に、自分撮りをしている表示部４を覗き見される可能性が高いか否かを判別するためのテーブルで、“０”、“１”、“２”、“３”、“４”、“５”、“６”のいずれかの条件が満たされる場合は覗き見される可能性が低いと判定する。
“０”の場合は、スタイル検出部９により表示部４が第１の撮像部８のカメラレンズ８ａと同方向を向いていることを検出した場合、或いは第２の撮像部１１で撮影していることを検出した場合である。
“１”は、顔認識部８ｈにより自分撮り撮影者の顔が認識され、スタイル検出部９により表示部４が自分撮り撮影者と同方向を向いていることを検出した場合である。
“２”は、各種センサ部８ｆの測距センサにより端末装置と自分撮り撮影者が所定の距離以上離れていることを検出した場合である。
“３”は、顔認識部８ｈにより自分撮り撮影者の顔が認識され、顔の撮影サイズが所定の大きさよりも小さいことを検出した場合である。
“４”視線検出部８ｇにより撮影者の視線が検出されない場合である。
“５”生体情報取得部１０により読み取られた生体情報が後述する登録生体情報メモリＳＭに類似することを検出した場合、すなわち携帯電話機が所有者以外により保持されていることを検出した場合である。
“６”は、第１の撮像部８或いは第２の撮像部１１により周囲に人がいないことを検出した場合である。
【００３３】
図５は、登録画像メモリＧＭを説明するための図である。
登録画像メモリＧＭは、携帯電話機所有者の顔の画像を登録しておくためのメモリで、顔認識部８ｈで認識された顔画像が登録画像メモリＧＭに登録されている画像と類似しているか否かによって、自分撮りを行っている人物が携帯電話機の所有者であるか否か判別する。
【００３４】
図６は、登録生体情報メモリＳＭを説明するための図である。
登録生体情報メモリＳＭは携帯電話機所有者の生体情報を登録しておくためのメモリで、生体情報取得部１０により取得された生体情報が登録生体情報メモリＳＭに登録されている情報と類似しているか否かによって、携帯電話機の所有者が携帯電話機を保持しているか否かを判別する。
【００３５】
次に、第１実施形態における端末装置の動作概念を図７〜図９に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、伝送媒体を介して外部供給されたプログラム／データを利用して本実施形態特有の動作を実行することもできる。
【００３６】
図７は、電源投入に応じて実行開始される端末装置の全体動作の概要を示したフローチャートである。
先ず、制御部１は、電源投入に伴ってメモリなどを初期化する初期設定を行った後（ステップＡ１）、電話着信を検出したかを調べたり（ステップＡ２）、撮影操作が開始されたかを調べたり（ステップＡ７）、その他の操作が行われたかを調べたりする（ステップＡ１５）。いま、電話着信を検出したときには（ステップＡ２でＹＥＳ）、この着信に対する応答操作（オフフック操作）によって（ステップＡ３でＹＥＳ）、通話可能状態とする通話処理を開始させる（ステップＡ４）。その後のオンフック操作によって（ステップＡ５でＹＥＳ）、回線接続を遮断して通話を終了する終話処理を実行した後（ステップＡ６）、上述のステップＡ２に戻る。また、その他の操作が行われたときには（ステップＡ１５でＹＥＳ）、その操作に応じた処理として、例えば、発信処理、テレビ電話処理、メール送信処理、インターネット接続処理などを行った後（ステップＡ１６）、上述のステップＡ２に戻る。
【００３７】
ここで、撮影操作が開始されたことが検出された場合は（ステップＡ７でＹＥＳ）、表示部４に第１の撮像部８の撮像素子８ｂから撮り込まれるモニタ画像を表示し、各種センサ部８ｆによるＡＥ（Automatic Exposure）、ＡＦ（Auto Focus）の動作を開始する（ステップＡ８）。
続いて自分撮りを行っているか否かの判別を行う後述する自分撮り判別処理（ステップＡ９）を行い、自分撮りを行っていると判別された場合（ステップＡ１０でＹＥＳ）は図４に示す判定テーブルＨＴを参照して（ステップＡ１１）、撮影状態が該当するか否かを判定し（ステップＡ１２）、判定テーブルＨＴの条件に合致する場合（ステップＡ１２でＹＥＳ）、すなわち表示部４が周囲の人から覗かれる可能性が低いと判断される場合は表示部４をオフしないで（ステップＡ１３）、一方、判定テーブルＨＴの条件に合致しない場合（ステップＡ１２でＮＯ）、すなわち表示部４が周囲の人から覗かれる可能性が高いと判断される場合は表示部４をオフして（ステップＡ１４）、シャッタ操作が行われたかを調べたり（図８のステップＡ１７）、撮影終了処理が行われたかを調べたり（図８のステップＡ１９）、露出設定やアングル変更といったその他の撮影操作が行われたかを調べたりする（図８のステップＡ２３）処理に移行する。
自分撮りを行っていないと判別された場合（ステップＡ１０でＮＯ）は、表示の制御を行わず、シャッタ操作が行われたかを調べたり（図８のステップＡ１７）、撮影終了処理が行われたかを調べたり（図８のステップＡ１９）、その他の撮影操作が行われたかを調べたりする（図８のステップＡ２３）処理に移行する。
【００３８】
ここでシャッタ操作が行われたことが判別された場合は（ステップＡ１７でＹＥＳ）、撮影処理として撮像素子８ｂから撮り込んだ撮影画像を適切なフォーマット（例えば、ＪＰＥG）に圧縮した画像ファイルを生成して記憶部３に記録保存させた後（ステップＡ１８）、図７のステップＡ９の自分撮り判別処理に戻り、自分撮りをしているか否かの判別を行う。
また、撮影終了操作が行われたことが判別された場合は（ステップＡ１９でＹＥＳ）、表示部４がオフ状態であるか否かを判別し（ステップＡ２０）、表示オフ状態であれば（ステップＡ２０でＹＥＳ）、表示部４をオンして（ステップＡ２１）、一方、表示オン状態であれば（ステップＡ２０でＮＯ）そのままの状態で、モニタ表示、ＡＥ，ＡＦの動作を終了する等の撮影終了処理を行い（ステップＡ２２）、上述のステップＡ２に戻る。
またその他の撮影操作が行われた場合は（ステップＡ２３でＹＥＳ）は、操作に応じた処理を行い（ステップＡ２４）、図７のステップＡ９の自分撮り判別処理に戻り、自分撮りをしているか否かの判別を行う。
【００３９】
次に図９のフローチャートを使用して自分撮り判別処理を説明する。
撮影モードが自分撮りモードであるか、すなわち図３に示す撮影モードテーブルＳＴの値が“５”であるか否かを判別し、自分撮りモードであると判別された場合は（ステップＢ１でＹＥＳ）、自分撮りを行っていると判別し（ステップＢ２）、その他の撮影モードである場合と判別された場合は（ステップＢ１でＮＯ）、自分撮りを行っていないと判別して（ステップＢ３）、自分撮り判別処理を終了し、次のステップに移る。
【００４０】
以上のように、第１実施形態において、撮像部と、前記撮像部により撮影された画像を表示する表示部を備え、当該端末装置の撮影者自身を撮影し、表示部に表示しているか否かを判別し、当該端末装置の撮影者自身を撮影し表示部に表示していると判別された場合に、この撮影者自身を撮影し表示している表示部が周囲から覗かれる可能性が高いか否かを判別し、当該端末装置の撮影者自身を撮影し表示している表示部が周囲から覗かれる可能性が高いと判別された場合に、表示部の表示を制限する制御を行うようにしたことで、いわゆる自分撮りをしている場合であって、周りの人から自分撮りをしていると分かってしまう場合に限り表示を制限して、自分撮りをしていることを人に知られることの恥ずかしさを緩和することができる。
【００４１】
また、撮影者自身を撮影し表示している表示部が周囲から覗かれる可能性が低いと判別する条件は、表示部が撮像部の備える撮影レンズと同方向を向いている場合であるようにしたことで、自分撮りをしていても表示部が周りに人に覗かれる可能性が低いので、表示部の表示を制限する必要がないと判断することができる。
【００４２】
更に、撮影者自身を撮影し表示している表示部が周囲から覗かれる可能性がないと判別する条件は、表示部が撮影者と同方向を向いている場合であるようにしたことで、自分撮りをしていても表示部が周りに人に覗かれる可能性が低いので、表示部の表示を制限する必要がないと判断することができる。
【００４３】
また、撮影者自身を撮影し表示している表示部が周囲から覗かれる可能性が低いと判別する条件は、当該端末装置と撮影者が所定の距離以上離れている場合であるようにしたことで、ズーム機能を搭載していないような場合に有効で、自分撮りをしていても周りの人に自分撮りをしていると分かりにくいので、表示部の表示を制限する必要がないと判断することができる。
【００４４】
更に、撮影された人物の顔を更に認識し、撮影者自身を撮影し表示している表示部が周囲から覗かれる可能性が低いと判別する条件は、認識され表示部に表示されている撮影者の顔が所定の大きさよりも小さい場合であるようにしたことで、ズーム機能を搭載している場合で、広角や望遠によって撮影距離が同じでも撮影される顔の大きさが異なる場合に有効で、自分撮りをしていても周りの人に自分撮りをしていると分かりにくいので、表示部の表示を制限する必要がないと判断することができる。
【００４５】
また、撮影者の視線を更に検出し、撮影者自身を撮影し表示している表示部が周囲から覗かれる可能性が低いと判別する条件は、撮影者の視線が前記撮像部の備える撮影レンズを向いていないことが検出された場合であるようにしたことで、いわゆるカメラ目線をしておらず、周りの人に自分撮りをしていると分かりにくいので、表示部を表示する必要がないと判断することができる。
【００４６】
更に、当該端末装置の保持者を更に判別し、撮影者自身を撮影し表示している表示部が周囲から覗かれる可能性が低いと判別する条件は、当該端末装置が前記撮影者以外により保持されていると判別された場合であるようにしたことで、自分撮りでないので、表示部の表示を制限する必要がないと判断することができる。
【００４７】
また、当該端末装置の周囲に人がいるか否かを更に判別し、撮影者自身を撮影し表示している表示部が周囲から覗かれる可能性が低いと判別する条件は、当該端末装置の周囲に人がいないと判別された場合であるようにしたことで、表示部を覗かれる心配がないと判断することができる。
【００４８】
更に、撮影目的に応じて適切な撮影条件を設定する複数の撮影モードを更に備え、複数の撮影モードのうち当該端末装置の撮影者自身を撮影する撮影モードが選択されている場合に、当該端末装置の撮影者自身を撮影し、当該端末装置の備える表示部に表示していると判別するようにしたことで、センサ等を搭載せずに簡易に自分撮りを判別することができる。
【００４９】
また、表示部の表示の制限を表示部の表示をオフするようにことで、自分撮りしている場合に周囲の人に覗きされることを防止することができる。また、不要な電池消耗を防止することができる。
【００５０】
図１０は変形例を示す図である。
上述した第１実施形態においては、自分撮りを行っている状態で、図１０（１）に示すように表示している表示部４をオフすることで周囲の人から覗かれることを防止しているが、図１０（２）に示すように表示部４に表示するモニタ表示を小さく表示することで覗かれたとしても分かりにくい表示としてもよい。
【００５１】
以上のように表示部に表示されている撮影者を撮影している表示を小さくするようにしたことで、小さいながらもモニタ表示は行っているのでどのように撮影されているか自分撮りを行っている本人には確認することと、覗かれても分かりにくくすることを両立することが可能となる。
【００５２】
（第２実施形態）
以下、この発明の第２実施形態について図１１を参照して説明する。
上述した第１実施形態においては、自分撮りを行っているか否かの判別を撮影モードが自分撮りモードであるか否か、すなわち図３に示す撮影モードテーブルＳＴの撮影モードが“５”であるか否かによって判別しているが、この第２実施形態においては、第１の撮像部８或いは第２の撮像部１１により撮影されている人物が図４に示す登録画像メモリＧＭに登録されている画像と類似する場合に、自分撮りを行っていると判別するようにしている。
【００５３】
図１１は、第２実施形態における自分撮り判別処理を説明するフローチャートである。
撮像素子８ｂから撮り込んだ撮影画像から顔認識部８ｈによる顔認識を行い（ステップＣ１）、登録画像メモリＧＭを参照して（ステップＣ２）、認識した顔画像を比較して、類似していると判別された場合は（ステップＣ３でＹＥＳ）、自分撮りを行っていると判別し（ステップＣ４）、類似していないと判別された場合は（ステップＣ３でＮＯ）、自分撮りを行っていないと判別して（ステップＣ５）、自分撮り判別処理を終了し、次のステップに移る。
【００５４】
以上のように、第２実施形態において、認識された人物の顔が当該端末装置に登録された画像と類似する場合に、当該端末装置の撮影者自身を撮影し、当該端末装置の備える表示部に表示していると判別するようにしたことで、より正確に自分撮りをしているか否かを判別することができる。
【００５５】
なお、上述の第１実施形態及び第２実施形態では、第１の撮像部８或いは第２の撮像部１１による自分撮りを行っている際の表示の制御について説明したが、第２の撮像部１１を使用したテレビ電話機能使用時に、自分の顔を表示部４に表示する場合に表示の制御を行ってもよい。
【００５６】
また、端末装置としては、折り畳みタイプ、ストレートタイプに限らず、例えば、スピントップタイプなど任意の筐体構造であってもよく、その他、端末装置は、携帯電話機に限らず、パーソナルコンピュータ、ＰＤＡ、デジタルカメラ、音楽プレイヤーなどであってもよい。
【００５７】
また、上述した実施形態において示した“装置”や“機”とは、機能別に複数の筐体に分離されていてもよく、単一の筐体に限らない。また、上述したフローチャートに記述した各ステップＳは、時系列的な処理に限らず、複数のステップＳを並列的に処理したり、別個独立して処理したりするようにしてもよい。
【符号の説明】
【００５８】
１  制御部
２  電源部
３  記憶部
４  表示部
５  操作部
６  無線通信部
７  電話部
８  第１の撮像部
９  スタイル検出部
１０  生体情報取得部
１１  第２の撮像部
２１  操作部筐体
２２  表示部筐体
２３  ２軸ヒンジ部
ＳＴ  撮影モードテーブル
ＨＴ  判定テーブル
ＧＭ  登録画像メモリ
ＳＭ  登録生体情報メモリ
【図１】
0005382808.tif 000002
【図２】
0005382808.tif 000003
【図３】
0005382808.tif 000004
【図４】
0005382808.tif 000005
【図５】
0005382808.tif 000006
【図６】
0005382808.tif 000007
【図７】
0005382808.tif 000008
【図８】
0005382808.tif 000009
【図９】
0005382808.tif 000010
【図１０】
0005382808.tif 000011
【図１１】
0005382808.tif 000012